(57)【要約】  本発明は、圧力マッサージ機能を備えた足湯桶に関するものであり、足湯桶本体（１１）と、それぞれ独立したエアバッグを備えた空気圧マッサージ器(１４)とを含んでいる。足湯桶(１１)本体内では、ポンプ（１２）、入力部及び空気ガイド調整装置（１３）が足湯桶本体（１１）のポンプの出力部へ連結されており、空気ガイド調整装置（１３）は、複数の出力部を有しており、少なくとも２つの出力部は、それぞれのエアチューブ（１７）を介して空気圧マッサージ器（１４）の多様なエアバッグの入力部／出力部と連結している。本発明の圧力マッサージ機能を備えた足湯桶は、足ヘルスケア器具と協調し、同時的に身体の他の部位を同時的にマッサージし、血液の循環を向上させ、健康を増進し、時間をセーブする。
2008508963.tif 000002
【特許請求の範囲】
【請求項１】
空気圧マッサージ機能を備えた足湯桶であって、足湯桶本体と、それぞれ独立したエアバッグを備えた空気圧マッサージ器とを含んでおり、
前記足湯桶内には、ポンプが設置されており、該足湯桶は、該足湯桶の前記ポンプの出力部と連結する入力ポートと、空気ガイド調整装置とをさらに含んでおり、
前記空気ガイド調整装置は、複数の出力部を有しており、少なくとも２つの前記出力部は、それぞれのエアチューブを介して前記空気圧マッサージ器の多様なエアバッグの入力部／出力部と連結していることを特徴とする足湯桶。
【請求項２】
空気ガイド調整装置は、ポンプと連結する入力部、複数のエアバッグと連結する複数の出力部、及び回転速度が０から１００回転/分のステップモータにより駆動される空気ガイド器を有しており、
前記空気ガイド器には、ディレクトスロットが提供されており、前記空気ガイド器がステップモータで駆動されると、前記入力部は、前記空気ガイド器の前記ディレクトスロットを介して前記出力部に連結され、前記空気ガイド器は、さらに空気孔を含んでおり、前記空気孔と前記出力部が連結されるとエアバッグが収縮することを特徴とする請求項１記載の足湯桶。
【請求項３】
空気ガイド調整装置は、ポンプと連結する入力部、複数のエアバッグと連結する複数の出力部及び電磁エアバルブをさらに含んでいることを特徴とする請求項１記載の足湯桶。
【請求項４】
空気ガイド調整装置は、４、６または８の出力部を含んでいることを特徴とする請求項２または３記載の足湯桶。
【請求項５】
空気ガイド調整装置の出力部は、足湯桶の表面、側壁またはカバー上に設置されることを特徴とする請求項２または３記載の足湯桶。
【請求項６】
スライドファスナまたはナイロン留具が空気圧マッサージ器上に提供され、マッサージ対象の身体部を包み込むことを特徴とする請求項１、２、３または５に記載の足湯桶。
【請求項７】
空気圧マッサージ器がマッサージ対象の身体部を包むとき、複数のエアバッグの１つまたは２つのみが膨張され、他のエアバッグは、同時的に収縮し、身体部を別々にマッサージすることを特徴とする請求項６記載の足湯桶。
【請求項８】
足湯桶のマッサージモードは、水圧、バイブレーション及びバブルから選択されることを特徴とする請求項６記載の足湯桶。
【請求項９】
空気圧マッサージ器は、腿、脹脛、腕付根あるいは腰である身体部を包む複数のエアバッグを含んでいることを特徴とする請求項６記載の足湯桶。
【請求項１０】
バイブレーションマッサージ器を収容する複数のポケットが空気圧マッサージ器の内部側壁に提供されるか、あるいは、空気圧マッサージ器には、エアバッグ内にバイブレーション装置が設置されることを特徴とする請求項６記載の足湯桶。
【請求項１１】
空気圧マッサージ器の外側には、アーク状ボードが設置されることを特徴とする請求項１記載の足湯桶。
【請求項１２】
空気ガイド調整装置は、さらに逆流管を介して足湯桶に連結され、エアバッグからの圧縮空気が前記足湯桶に送られることを特徴とする請求項１記載の足湯桶。
【請求項１３】
空気圧マッサージ器には、加熱装置がさらに設置されることを特徴とする請求項１記載の足湯桶。
【請求項１４】
空気圧マッサージ器には、導電性電極がさらに設置されることを特徴とする請求項１記載の足湯桶。
【請求項１５】
空気ガイド調整装置とポンプとの間、あるいは空気ガイド調整装置とエアバッグとの間に、空気圧調節装置が連結されることを特徴とする請求項１記載の足湯桶。
【発明の詳細な説明】
【技術分野】
【０００１】
本発明は、足湯桶に関し、特に、圧力式マッサージ機能を備えた足湯桶に関する。
【背景技術】
【０００２】
今日、足の健康に対する関心が高い。従来の足ヘルスケア器具は、マッサージ器、電気ヒータ及び足湯桶等と一体化している。
【０００３】
しかし、それら足ヘルスケア器具は、足のマッサージだけを提供し、他の身体部は、マッサージできないものであった。
【０００４】
利用者は、足湯桶で足のマッサージを楽しむことができるが、通常それには長時間を要し、さらに、これら器具による足ヘルスケアの単純機能は非効率なものであった。
【発明の開示】
【発明が解決しようとする課題】
【０００５】
本発明の目的は、足及び身体の他部位を同時的にマッサージできる圧力マッサージ機能を備えた足湯桶を提供することにある。
【課題を解決するための手段】
【０００６】
前記目的を達成するため、本発明は、足湯桶に空気圧マッサージ機能を提供する。
【０００７】
この足湯桶は、足湯桶本体と、それぞれ独立したエアバッグを備えた空気圧マッサージ器とを含んでいる。
【０００８】
ポンプは、足湯桶内に設置されている。この足湯桶は、ポンプの出力部と連結する入力ポートを備えた空気ガイド調整装置をさらに含んでいる。
【０００９】
空気ガイド調整装置は、複数の出力部を有しており、少なくとも２つの出力部は、それぞれのエアチューブを介して空気マッサージ器の多様なエアバッグの入力部／出力部と連結している。
【００１０】
有利には、空気ガイド調整装置は、ポンプと連結する入力部、複数のエアバッグと連結する複数の出力部、及び回転速度０から１００回転/分のステップモータにより駆動される空気ガイド器を有している。
【００１１】
空気ガイド器には、ディレクトスロット(a directing slots)が提供されており、ステップモータで駆動されると入力部は、空気ガイド器のディレクトスロットを介して出力部に連結される。空気ガイド器は、さらに空気孔を含んでいる。空気孔と出力部が連結されると、エアバッグは、収縮するであろう。あるいは、空気ガイド調整装置は、ポンプと連結する入力部、複数のエアバッグと連結する複数の出力部及び電磁エアバルブを含んでいる。
【００１２】
有利には、空気ガイド調整装置は、４、６または８の出力部を含んでいる。
有利には、空気ガイド調整装置の出力部は、足湯桶の表面、側壁またはカバー上に設置される。
【００１３】
有利には、スライドファスナまたはナイロン留具が空気圧マッサージ器上に提供され、マッサージ対象身体部を包み込む。
【００１４】
有利には、空気圧マッサージ器がマッサージ対象の身体部を包むとき、複数のエアバッグの１つまたは２つのみが膨張され、他のエアバッグは、同時的に収縮し、身体部を別々にマッサージする。
【００１５】
有利には、足湯桶のマッサージモードは、水圧、バイブレーション及びバブルから選択される。
【００１６】
有利には、空気圧マッサージ器は、腿、脹脛、腕付根あるいは腰である身体部を包む複数のエアバッグを含んでいる。
【００１７】
有利には、バイブレーションマッサージ器を収容する複数のポケットが空気圧マッサージ器の内部側壁に提供される。あるいは、空気圧マッサージ器には、エアバッグ内にバイブレーション装置が設置される。
【００１８】
有利には、空気圧マッサージ器の外側には、アーク状ボード(an arc board)が設置される。
有利には、空気ガイド調整装置は、さらに逆流管を介して足湯桶に連結され、エアバッグからの圧縮空気が足湯桶に送られる。
【００１９】
有利には、空気圧マッサージ器には、加熱装置がさらに設置される。
【００２０】
有利には、空気圧マッサージ器には、導電性電極がさらに設置される。
有利には、空気ガイド調整装置とポンプとの間、あるいは、空気ガイド調整装置とエアバッグとの間に空気圧調節装置が連結される。
【発明の効果】
【００２１】
本発明の圧力マッサージ機能を備えた足湯桶は、足ヘルスケア器具と協調し、同時的に身体の他の部位をマッサージし、血液の循環を向上させ、健康を増進し、時間をセーブ(save)する。
【発明を実施するための最良の形態】
【００２２】
本発明の特徴について、図面と実施例に関して説明する。
【００２３】
図１に示すごとく、空気圧マッサージ機能を備えた足湯桶は、足湯桶本体１１と、空気圧マッサージ器１４を含んでおり、足湯桶本体１１は、足マッサージの水圧モード、バイブレーションモードあるいはバブルモードを提供することができる。
【００２４】
ポンプ１２が足湯桶本体１１内に提供されており、ポンプ１２の出力部は、空気ガイド調整装置１３へ連結されており、空気ガイド調整装置１３は、チューブ１７を介して空気圧マッサージ器１４（図では一部分のみを示す）へ連結されている。
【００２５】
空気圧マッサージ器１４は、マッサージ対象の身体部周囲をナイロン留具（マジックステッカー）で包むことができ、複数のエアバッグ１５（図には２つのみを示す）をさらに含んでいる。
【００２６】
空気圧マッサージ器１４は、例えばスライドファスナやボタン等の他の連結体でマッサージ対象の身体部位周囲に包むこともできる。空気圧マッサージ器１４は、腿、脹脛、腕付根あるいは腰の１つ以上を包むことができる複数のエアバッグを含んでいる。
【００２７】
それぞれのエアバッグ１５は、入力部／出力部を含んでおり、入力部／出力部は、エアガイドチューブ１７を介して空気ガイド調整装置１３へ連結されており、エアバッグを膨張または収縮させる。エアバッグの膨張及び収縮は、空気ガイド調整装置１３によってコントロールされる（このプロセスは図４で詳説する）。
【００２８】
マッサージプロセスの１実施例として、足マッサージについて説明する。先ず、空気ガイド調整装置１３が脹脛を包んでいるエアバッグを膨張させ、エアバッグが膨張するとこれらが脹脛を圧迫する。その後、空気ガイド調整装置１３は、腿を包んでいる他のバッグを膨張させ、その後これらのエアバッグが膨張して腿を圧迫し、心臓に向かう血液の流れを手助けし、ヘルスケア効果を達成させる。この作用は、“ミルキング（乳搾り）”運動と呼ばれる。
【００２９】
さらに多くのエアバッグを利用することもでき、すなわち、さらに多くのエアバッグを脹脛と腿の周囲に利用してエアバッグを順番に膨張させ、“ミルキング”運動を確実に実施する。
【００３０】
他の身体部位のマッサージも前述のプロセスと同様である。エアバッグの１つを膨張させている間に、空気ガイド調整装置１３は、別のエアバッグを収縮させ、収縮したエアバッグを引き続き膨張させて膨張と収縮を反復させる。
【００３１】
空気圧調整装置を空気ガイド調整装置１３とポンプ１２との間に提供することもできる。エアバッグ１５へ提供された圧力は、空気圧調整装置によって調節できる。空気圧調整装置を空気ガイド調整装置１３とエアバッグ１５との間に提供してそれぞれのエアバッグの膨張を調整することができる。
【００３２】
図２に示す本発明の別実施例では、空気ガイド調整装置１３に空気収縮孔が提供されており、これは逆流管を介して足湯桶に連結されている。空気ガイド調整装置１３がエアバッグの１つを収縮させると、圧縮空気がチューブ１７を介して足湯桶内の水へと逆流し、空気ガイド調整装置１３と逆流管１８は、バブルまたは水流圧を発生させてバブルで足をマッサージする。
【００３３】
逆流管１８にバルブを提供して、逆流管１８からのみ空気を流出させるようにし、水が逆流管１８へ流入できないようにすることができる。空気ガイド調整装置１３の位置を変更して足湯桶本体１１内の水が空気ガイド調整装置１３へ逆流しないようにすることができる。
【００３４】
図３は、空気圧マッサージ器１４の一部を示す概略構造図である。本実施例の空気圧マッサージ器１４は、多層構造を含んでおり、最内層は、エアバッグ２２であり、最外層は、包装体である。アーク状ボード２２を包装体とエアバッグ２２との間に提供することができ、エアバッグは、外側へ膨張せずに身体の包まれた部位のみを圧縮し、良好な効果を達成できる。包装体にナイロン留具１６を提供することができる。包装体は、繊維、ポリマーまたは他の材料で形成できる。
【００３５】
本発明のさらに別の実施例では、２層包装体を提供することもできる。すなわち最内層も包装体とする。バイブレーションマッサージ器を配置するためのポケット部を包装体の内側に提供することもできる。バイブレーションマッサージ器をエアバッグの内側に直接固定してもよい。さらに、電熱線等の加熱装置を包装体の内面に設置し、マッサージしながら熱によるケアをすることもできる。導電性電極を包装体の内層に固定し、マッサージされている身体の他の部位の皮膚を刺激してスキンケアを実施することもできる。
【００３６】
図４に示すごとく、空気ガイド調整装置１４は、空気ガイド器３３と換気部品を含んでいる。換気部品は、空気ガイド調整装置１４に固定されており、ポンプ１２の出力部に連結された入力部３２を有しており、複数の出力部３１は、複数のエアバッグの入力部／出力部に連結されている。空気ガイド調整装置１４の入力部３２の一端は、換気部品の側面上であり、これは換気部品の径方向に沿って中心へ連結されており、さらに中心を通過している。出力部３１は、換気部品の軸に沿って換気部品を通過している。
【００３７】
出力部３１は、エアバッグの数に従って複数のペアとして提供されることができ、例えば２、４、６、または８個を換気部品の同円上にさらに提供できる。本実施例では、４個の出力部３１が提供されている。
【００３８】
空気ガイド器３３は、換気部品と共にバックル締めされ、回転速度０から１００回転/分のステップモータによりさらに駆動される。空気ガイドスロット３５が空気ガイド器３３に提供されており、空気ガイドスロット３５の一端は、空気ガイド器３３の中心上であり、換気部品上の出力部３１の対応する位置に径方向に沿ってさらに連結されている。
【００３９】
換気部品と空気ガイド器３３が共にバックル締めされている場合、換気部品上の入力部３２の中心端は、常に空気ガイドスロット３５の中心端に連結されており、一方、空気ガイド器３３の他方端は、出力部３１の１つに連結されている。
【００４０】
ステップモータによって駆動されると、空気ガイド器３３は、中心周囲で回転し、入力部３２は、空気ガイド器３３上の空気ガイドスロット３５を介してそれぞれの出力部３１へ順に連結され、異なるエアバッグを膨張させる。
【００４１】
空気ガイド器３３上の出力部３１に対応する位置は、穴３４で固定され、穴３４が出力部３１に連結されるとエアバッグを収縮させることができる。空気ガイド器３３が回転すると穴３４は、それぞれのエアバッグを収縮させることができる。
【図面の簡単な説明】
【００４２】
【図１】図１は、本発明による空気圧マッサージ機能を備えた足湯桶の概略構造図である。
【図２】図２は、本発明の別実施例による空気圧マッサージ機能を備えた足湯桶の概略構造図である。
【図３】図３は、本発明による図１の空気圧マッサージ器の構造の一部である。
【図４】図４は、本発明による図１の空気ガイド調整装置の構造の一部である。
【図１】
2008508963.tif 000003
【図２】
2008508963.tif 000004
【図３】
2008508963.tif 000005
【図４】
2008508963.tif 000006
【手続補正書】
【提出日】平成19年9月19日(2007.9.19)
【手続補正１】
【補正対象書類名】明細書
【補正対象項目名】００３４
【補正方法】変更
【補正の内容】
【００３４】
図３は、空気圧マッサージ器１４の一部を示す概略構造図である。本実施例の空気圧マッサージ器１４は、多層構造を含んでおり、最内層は、エアバッグ２１であり、最外層は、包装体である。アーク状包装体２２を包装体とエアバッグ２１との間に提供することができ、エアバッグは、外側へ膨張せずに身体の包まれた部位のみを圧縮し、良好な効果を達成できる。包装体にナイロン留具１６を提供することができる。包装体は、繊維、ポリマーまたは他の材料で形成できる。
【国際調査報告】
2008508963.tif 000007
2008508963.tif 000008
2008508963.tif 000009
2008508963.tif 000010